(57)【要約】【課題】廃ガラスを利用して防草効果の高い防草施工方法を提供する。【解決手段】ガラス粉砕物と貝殻とを混合し焼成してなるガラスリサイクル発泡体からなる人工砂利を用いて防草施工を行う方法であって、人工砂利の内の粒径が小さい第１人工砂利１０を、防草しようとする防草箇所９に敷設して第１砂利層１を形成する工程と、第１砂利層１の上に、第１人工砂利１０よりも粒径が大きい第2人工砂利２０を敷設して第２砂利層２を形成する工程と、をもつ。【選択図】図１
2008303641.tif 000002
【特許請求の範囲】
【請求項１】
ガラス粉砕物と貝殻とを混合し焼成してなる人工砂利を用いて防草施工を行う方法であって、
前記人工砂利であって粒径が小さい第１人工砂利を、防草しようとする防草箇所に敷設して第１砂利層を形成する工程と、
該第１砂利層の上に、前記第１人工砂利よりも粒径が大きい第２人工砂利を敷設して第２砂利層を形成する工程と、をもつことを特徴とする防草施工方法。
【請求項２】
前記第１人工砂利の粒径は１〜１５ｍｍであり、前記第２人工砂利の粒径は１５〜４０ｍｍであることを特徴とする請求項１記載の防草施工方法。
【請求項３】
前記第１砂利層を形成する前に、前記防草箇所にコンクリート粉砕物を敷設する工程を行うことを特徴とする請求項１または請求項２に記載の防草施工方法。
【請求項４】
前記第１砂利層を形成する前に、前記防草箇所に木材チップを敷設する工程を行うことを特徴とする請求項１ないし請求項３のいずれか１項に記載の防草施工方法。
【請求項５】
前記第１砂利層を形成する前に、前記防草箇所に生石灰を敷設する工程を行うことを特徴とする請求項１ないし請求項４のいずれか１項に記載の防草施工方法。
【請求項６】
樹木の周囲に前記第１砂利層及び前記第2砂利層を形成することを特徴とする請求項１ないし請求項４のいずれか１項に記載の防草施工方法。
【発明の詳細な説明】
【技術分野】
【０００１】
本発明は、防草砂利を用いた防草施工方法に関する。
【背景技術】
【０００２】
道路周辺、公園、庭等の雑草の発生、繁茂を防止する方法として、土壌面に砂利を敷設することが行われている。しかし、一般の砂利では、砂利の間の隙間から雑草の種子が混入し、水分も浸透して、雑草が生えてきてしまう。このため、防草効果は弱いものであった。
【０００３】
一方、廃ガラスを骨材として利用して、道路や歩道の舗装材・ブロック材を製造することが知られている（特許文献１，２）。また、廃ガラスの粉砕物に貝殻粉末を混合し焼成してなるガラスリサイクル発泡体が知られている。
【特許文献１】特開２００２−８９号公報
【特許文献２】特開平９−２２０７１２号公報
【発明の開示】
【発明が解決しようとする課題】
【０００４】
本発明は、廃ガラスを利用して防草効果の高い防草施工方法を提供することを目的とする。
【課題を解決するための手段】
【０００５】
本発明は、ガラス粉砕物と貝殻とを混合し焼成してなる人工砂利を用いて防草施工を行う方法であって、前記人工砂利であって粒径が小さい第１人工砂利を、防草しようとする防草箇所に敷設して第１砂利層を形成する工程と、該第１砂利層の上に、前記第１人工砂利よりも粒径が大きい第２人工砂利を敷設して第２砂利層を形成する工程と、をもつことを特徴とする。
【発明の効果】
【０００６】
本発明の防草施工方法においては、ガラス粉砕物と貝殻とを混合し焼成してなる人口砂利を、防草箇所に敷設している。この人口砂利に用いられているガラス粉末としては、廃ガラスを用いることができ、資源の有効利用につながる。
【０００７】
また、貝殻の主成分は炭酸カルシウムであり、これを焼成すると酸化カルシウムが生成する。酸化カルシウムは水に触れると、アルカリ性の水酸化カルシウムになり、このため、弱アルカリ性（ｐH約９）である。ゆえに、この人口砂利を防草箇所に敷設することにより、草の発芽や生育を効果的に抑制することができる。
【０００８】
また、小径の第１人工砂利からなる第１砂利層を下層とし、その上に第１人工砂利よりも大径の第２人工砂利からなる第２砂利層を形成している。人工砂利は、大径よりも小径の方が、防草箇所の光遮断性が高く、草の光合成を抑制して生育を阻止する効果が高い。また、大径の人口砂利の方が、小径の人口砂利よりも、単位敷設面積当たりの防草箇所との接触部分が多くなる。このため、防草箇所が弱アルカリ性の人工砂利と接触しやすく、また防草箇所を圧迫して草の生育を効果的に抑制できる。
【０００９】
一方、人工砂利は、一般の砂利よりも軽い。このため、小径の第１人工砂利は雨風により転がりやすく、施工面が変形しやすい。この場合、第１人工砂利層の上に、一般の砂利を敷設することも考えられるが、この場合には、一般の砂利が第１人工砂利よりも重く、雨風に晒されている間に一般の砂利が第１砂利層の中に沈み込み、小径の人工砂利の光遮断効果が小さくなり、防草効果が低くなる。そこで、本発明においては、第１砂利層の上に、第１人工砂利よりも大径の第２人工砂利からなる第２砂利層を形成している。第２人工砂利は、第１人工砂利よりも大径のため、転がりにくい。このため、雨風により防草施工後の施工面が変形しにくく、施工面の形状を保持することができる。
【００１０】
また、人口砂利は一般に白色で、大径の第2人口砂利は、第1人口砂利よりも見栄えがよい。このため、外観のよい施工面を形成することができる。
【００１１】
また、人工砂利には、種々の彩色を施すことができ、様々な景観を造り出すことができる。
【００１２】
以上のように本発明によれば、廃ガラスを利用して防草効果の高い防草施工方法を提供することができる。
【発明を実施するための最良の形態】
【００１３】
防草箇所とは、草の発芽、生育を防止したい場所をいい、例えば、道路の路肩、分離帯、歩道、駐車場、公園、庭、空き地などの地面などがある。防草箇所は、砂利敷設前に、予め除草しておくことが好ましい。
【００１４】
人工砂利は、ガラス粉砕物と貝殻粉末とを混合し焼成してなるガラスリサイクル品からなり、たとえば多孔質体である。ガラス粉砕物は、廃棄物である回収ガラスを粉砕したものである。貝殻粉末は、漁港や食品工場から排出された貝殻を回収し、粉末状に粉砕したものである。ガラス粉砕物と貝殻粉末とを混合し９００〜１０００℃で焼成する。これにより、混合物が焼結するとともに発泡して、多孔質焼結体が得られる。その後、多孔質焼結体を所望の大きさに粉砕して、人工砂利が形成される。
【００１５】
人口砂利は、多数の孔を有する多孔質体であることが好ましい。この場合、人口砂利は、表面積が大きく、水に触れる部分が大きい。このため、人工砂利は、水を通じて弱アルカリ性の成分が溶出しやすい。ゆえに、草の発芽や生育を効果的に抑制できる。
【００１６】
人工砂利には、彩色を施すこともできる。人工砂利に彩色を施す方法としては、たとえば、原料であるガラス粉砕物の色を適宜選択したり、人工砂利を染料で染色したりする。
【００１７】
人口砂利は、篩い分けなどにより粒径を調整する。人口砂利のうち大きいものを第２人口砂利、小さいものを第１人口砂利とする。
【００１８】
第１人工砂利の粒径は１〜１５ｍｍであり、第２人工砂利の粒径は１５〜４０ｍｍであることが好ましい。第１人工砂利の粒径が１ｍｍ未満の場合には、雨等により流出するおそれがあり、１５ｍｍを越える場合には、防草箇所の光遮断効果が低下し、防草箇所に光が到達して草が光合成を行いやすくなり、草の生育を抑制する効果が低くなるおそれがある。第２人工砂利の粒径が１５ｍｍ未満の場合には、第２人工砂利が雨風により転がり、施工面が変形するおそれがある。４０ｍｍを越える場合には、施工面の見栄えが低下するおそれがある。更に好ましくは、第１人工砂利の粒径は３〜１０ｍｍであり、第２人工砂利の粒径は２０〜３０ｍｍである。
【００１９】
第１砂利層は、防草箇所に第１人工砂利を敷設して形成される。第１砂利層の厚みは、３０〜７０ｍｍであることが好ましい。３０ｍｍ未満の場合には、光遮断効果が低下し、草の生育を抑制する効果が低下するおそれがある。７０ｍｍを越える場合には、それに見合う効果は期待できない。
【００２０】
第２砂利層は、第１砂利層の上に第２人工砂利を敷設して形成される。第２砂利層の厚みは、３０〜７０ｍｍであることが好ましい。３０ｍｍ未満の場合には、第１人工砂利の雨風による転がりを抑制する効果が低下し、雨風に晒されて施工面が変形するおそれがある。７０ｍｍを越える場合には、それに見合う効果は期待できない。
【００２１】
第1砂利層を形成する前に、防草箇所にコンクリート粉砕物を敷設してもよい。コンクリート粉砕物が弱アルカリ性（ｐH約１２）であるため、防草効果が更に高くなる。
【００２２】
第１砂利層を形成する前に、防草箇所に木材チップを敷設する工程を行ってもよい。木材チップは、木材を機械的に小片化したものである。防草箇所に木材チップを敷設すると、更に防草効果が高くなる。木材チップの中でも針葉樹から作製されたものが、防草効果が高いため、好ましい。
【００２３】
第１砂利層を形成する前に、防草箇所に生石灰を敷設する工程を行ってもよい。生石灰は、強アルカリ性であるため、草の発芽、生育を著しく阻害することができる。たとえば、道路と防草箇所との境付近に生石灰を敷設することが好ましい。道路と防草箇所との境界付近は特に草が生育しやすいため、生石灰による強アルカリ（ｐH約１４）によって防草効果を高めておくとよい。
【００２４】
また、樹木の周囲に前記第１砂利層及び前記第2砂利層を形成することが好ましい。第１砂利層及び第２砂利層の中の隙間から雨水が浸透するため、樹木の根に水を供給させることができる。また、人工砂利は、弱アルカリ性であるが、樹木の生育を阻害しない程度である。ゆえに、樹木を生育させつつ防草効果を期待できる。樹木は、防草箇所に当初から植えられていてもよいし、砂利層形成時に移植したものであってもよい。砂利層形成時に移植した方が、樹木生育部と防草箇所との境界からの草の生育を阻害する効果が高い。
【００２５】
また、木材チップを敷設する場合にも、防草箇所に樹木を植えることができる。
【実施例】
【００２６】
本願に係る発明の実施例について、比較例と比較しながら説明する。
【００２７】
（実施例１）
本例の防草施工方法を行うにあたっては、まず、道路の路肩の防草箇所を除草した。次に、図１に示すように、防草箇所９に、粒径３〜１０ｍｍの人工砂利１０を厚み３０ｍｍ敷設して第１砂利層１を形成した。人工砂利は、ガラス粉砕物と貝殻粉末とを混合し９００〜１０００℃で焼成し成形したガラスリサイクル発泡体であり、下記の表１に示す組成からなる。人工砂利の比重は約０．８，比表面積は０．２〜１．０ｍ２／ｇ、ｐHは９、単位断面積当たりの連続気泡の断面積比率は２０〜４０％、半独立気泡の断面積比率は２０〜３０％、独立気泡の断面積比率は２０〜４０％である。次に、第１砂利層１の上に、粒径２０〜３０ｍｍの第２人工砂利２０を厚み３０ｍｍ敷設して第２砂利層２を形成した。
【００２８】
【表１】
2008303641.tif 000003
【００２９】
（実施例２）
第１砂利層１の厚みが５０ｍｍであり、第２砂利層２の厚みが５０ｍｍであること以外は、実施例１と同様である。
【００３０】
（実施例３）
第１砂利層１の厚みが３０ｍｍであり、第２砂利層２の厚みが７０ｍｍであること以外は、実施例１と同様である。
【００３１】
（実施例４）
図２に示すように、除草した防草箇所９には、まず、粒径１０〜３０ｍｍのコンクリート粉砕物３０を厚み３０ｍｍ敷設してコンクリート砕石層３を形成した。その後、実施例１と同様に、厚み３０ｍｍの第１砂利層１、厚み３０ｍｍの第２砂利層２を順次形成した。
【００３２】
（実施例５）
図３に示すように、除草した防草箇所９には、まず、実施例２と同様のコンクリート粉砕物３０を厚み３０ｍｍ敷設してコンクリート砕石層３を形成した。次に、コンクリート砕石層３の上に、針葉樹から作製した木材チップ４０を厚み３０ｍｍ敷設して、チップ層４を形成した。その後、実施例１と同様に、厚み３０ｍｍの第１砂利層１、厚み３０ｍｍの第２砂利層２を順次形成した。
【００３３】
（実施例６）
コンクリート砕石層３の厚みが１００ｍｍ、チップ層４の厚みが５０ｍｍ、第１砂利層１の厚みが３０ｍｍ、第２砂利層２の厚みが５０ｍｍであることの他は、実施例５と同様である。
【００３４】
（実施例７）
図４に示すように、防草箇所９の上に、樹木６を植えた。このとき、樹木６の根６０の周囲には厚み３０ｍｍ以上の土壌６１が付着しており、その周囲は筒状の仕切板６５により囲まれている。樹木を防草箇所９に植えたとき、根６０の下部は、防草箇所９の地面に埋まるようにした。根６０の上部は、覆土６２で覆った。次に、実施例５と同様に、コンクリート砕石層３，チップ層４，第１砂利層１，第２砂利層２を形成した。各層の厚みは、コンクリート砕石層３を１００ｍｍ，チップ層４を５０ｍｍ，第１砂利層１を３０ｍｍ，第２砂利層２を５０ｍｍとした。
【００３５】
（実施例８）
コンクリート砕石層３を３０ｍｍ，チップ層４を３０ｍｍ，第１砂利層１を３０ｍｍ，第２砂利層２を３０ｍｍとした他は、実施例７と同様である。
【００３６】
（実施例９）
図５に示すように、防草箇所９として、道路８との境界８１の付近の場所を選んだ。この防草箇所９には、除草した後に、実施例２と同様のコンクリート粉砕物３０を厚み３０ｍｍ敷設してコンクリート砕石層３を形成した。次に、コンクリート砕石層３の上に、生石灰５０を厚み２ｍｍ敷設して、石灰層５を形成した。その後、実施例１と同様に、第１砂利層１、第２砂利層２を順次形成した。第１砂利層１の厚みは３０ｍｍ、第２砂利層２の厚みは５０ｍｍとした。
【００３７】
（実施例１０）
第１砂利層１の厚みを３０ｍｍ、第２砂利層２の厚みを３０ｍｍとした他は、実施例９と同様である。
【００３８】
（比較例）
一般の砂利（小石等）で粒径が３〜１０ｍｍのものを厚み５０ｍｍ敷設し、その後粒径が２０〜３０ｍｍのものを厚み５０ｍｍ敷設した。
【００３９】
（評価）
上記実施例及び比較例について、防草状態を観察した。いずれも同時期に施工した。その結果、比較例は３ヶ月程度で草の生育が認められたが、実施例１〜１０では２４ヶ月経過しても草の生育は認められなかった。樹木を植えた実施例７，８では、４ヶ月経過した後も草の生育は認められず、樹木は根付いて生育していることが認められた。また、実施例９，１０では、６ケ月経過後に、道路と人工砂利との境界付近にも草の生育は認められなかった。
【００４０】
以上のことから、下層に粒径３〜１０ｍｍの人工砂利を敷設し、上層に２０〜３０ｍｍの人工砂利を敷設することにより、通常の砂利よりも格段に草の発芽、生育の抑制効果が高くなり、また樹木の生育が可能であることがわかる。また、第1、第２砂利層形成前に生石灰を敷設することにより、道路との境界付近の草の生育を阻止できることがわかる。
【図面の簡単な説明】
【００４１】
【図１】本発明に係る実施例１〜３の防草施工方法を示す説明図である。
【図２】本発明に係る実施例４の防草施工方法を示す説明図である。
【図３】本発明に係る実施例５、６の防草施工方法を示す説明図である。
【図４】本発明に係る実施例７、８の防草施工方法を示す説明図である。
【図５】本発明に係る実施例９、１０の防草施工方法を示す説明図である。
【符号の説明】
【００４２】
１：第１砂利層、２：第２砂利層、３：砕石層、４：チップ層、５：石灰層、６：樹木、８：道路、９：防草箇所
【図１】
2008303641.tif 000004
【図２】
2008303641.tif 000005
【図３】
2008303641.tif 000006
【図４】
2008303641.tif 000007
【図５】
2008303641.tif 000008